(57)【要約】【課題】  建築物の隅角部に使用されるコーナー外壁材の隅角面等を均一且つ迅速に塗装し得る外壁材塗装装置を提供する。【解決手段】  基台１０の前後方向に直線状に支持されているガイドレール１１と、ガイドレールに沿って摺動自在に設けられ且つ塗装用ローラー１３を備えた摺動操作部１２と、塗装用ローラーが移動する塗装可能領域内においてコーナー外壁材がガイドレールに対して傾斜状に載置されるようにする位置決め手段１５とからなり、摺動操作部を摺動させることで塗装用ローラーがコーナー外壁材に対する当接部位を変えつつ転動するようになっている。【選択図】  図４
2020049415.tif 000002
【特許請求の範囲】
【請求項１】
建築物の隅角部の外壁材として使用される断面形状略Ｌ形のコーナー外壁材を塗装する装置であって、
前記コーナー外壁材を載置する基台と、
前記基台の前後方向に直線状に支持されているガイドレールと、
前記基台の上面から上方へ所定間隔を離した位置において前記ガイドレールに沿って摺動自在に設けられている摺動操作部と、
前記摺動操作部に回転自在に装着された塗装用ローラーと、
前記摺動操作部の摺動範囲内に設けられて前記塗装用ローラーに塗着させる塗料を収容する塗料トレイと、
前記塗装用ローラーが移動する塗装可能領域内において前記コーナー外壁材が前記ガイドレールに対して傾斜状に載置されるようにする位置決め手段とからなり、
前記摺動操作部を摺動させることで前記塗装用ローラーが前記コーナー外壁材に対する当接部位を変えつつ転動するようにしたことを特徴とする外壁材塗装装置。
【請求項２】
前記ガイドレールは設定高さが調節可能に設けられていることを特徴とする請求項１に記載した外壁材塗装装置。
【請求項３】
前記塗装用ローラーは前記摺動操作部に幅方向へ位置調節可能に設けられていることを特徴とする請求項１又は２に記載した外壁材塗装装置。
【請求項４】
前記塗料トレイに塗料付着用ローラーを回転自在に設け、該塗料付着用ローラーを介して前記塗装用ローラーに塗料を付着させるようにしたことを特徴とする請求項１乃至３のいずれかに記載の外壁材塗装装置。
【発明の詳細な説明】
【技術分野】
【０００１】
本発明は、建築物の隅角部の外壁材として使用される断面形状略Ｌ形のコーナー外壁材を塗装する装置に関するものである。
【背景技術】
【０００２】
建築物の隅角部の外壁材として使用される断面形状略Ｌ形のコーナー外壁材は、その外表面部分を予め塗装した後に、細幅の隅角面や側縁面を別途塗装することになるが、その隅角面や側縁面を塗装するにあたり、刷毛ローラーを備えたいわゆるハンドローラーを用いて、手作業で行うことが一般的である。
【０００３】
しかしながら、作業者がハンドローラーで１つずつ塗装するとなると、必然的に時間が掛かり、作業効率が著しく悪くなってしまう。特に、塗りムラが発生しないように注意しながらの作業となるので尚更である。そこで、こうした作業の非効率性を解消すべく、例えば、特許文献１及び２のような技術が存在している。すなわち、特許文献１に示されているものは、外周面に刻み模様が形成された塗装ロールを塗料が貯留された塗料バスに回転自在に設置すると共に、塗装ロールの上方にコーナー外壁材を配置し、コーナー外壁材を手動で移動させながら、塗装ロールで塗装面を塗装するようになっている。また、特許文献２に示されているものは、外周面に刻み模様が形成された塗装ロールにコーナー外壁材を自動で搬送させながら塗装するようになっている。
【先行技術文献】
【特許文献】
【０００４】
【特許文献１】特開平１１−１８８２９３号公報
【特許文献２】特開平１１−２０７２２６号公報
【発明の概要】
【発明が解決しようとする課題】
【０００５】
ここで、特許文献１及び２に示されたものは、いずれも外周面に刻み模様が形成された塗装ロールによって、コーナー外壁材の塗装面を塗装するようにしているが、このような塗装ロールを用いた場合、コーナー外壁材の塗装面に塗料をムラ無く均一に塗装することは困難である。すなわち、前述のハンドローラーを使用した場合には、円筒体の外周面に微細な刷毛が固植されている刷毛ローラーをコーナー外壁材の塗装面に転動させるので、塗料をコーナー外壁材の塗装面に斑なく付着させることができるが、外周面に刻み模様が形成された塗装ロールでは、コーナー外壁材の塗装面に塗料をきめ細かく付着させることができず、どうしても限界がある。
【０００６】
そこで、本発明に係る外壁材塗装装置は、きめ細かく塗装面に塗料を付着させることができる刷毛ローラーの利点を生かしつつ、且つ迅速確実に塗装作業がなし得る外壁材塗装装置を提供することを目的としている。
【課題を解決するための手段】
【０００７】
かかる目的を達成するため本発明に係る外壁材塗装装置は、建築物の隅角部の外壁材として使用される断面形状略Ｌ形のコーナー外壁材を塗装する装置であって、前記コーナー外壁材を載置する基台と、前記基台の前後方向に直線状に支持されているガイドレールと、前記基台の上面から上方へ所定間隔を離した位置において前記ガイドレールに沿って摺動自在に設けられている摺動操作部と、前記摺動操作部に回転自在に装着された塗装用ローラーと、前記摺動操作部の摺動範囲内に設けられて前記塗装用ローラーに塗着させる塗料を収容する塗料トレイと、前記塗装用ローラーが移動する塗装可能領域内において前記コーナー外壁材が前記ガイドレールに対して傾斜状に載置されるようにする位置決め手段とからなり、前記摺動操作部を摺動させることで前記塗装用ローラーが前記コーナー外壁材に対する当接部位を変えつつ転動するようにしたことを特徴としている。
【０００８】
また、前記ガイドレールは設定高さが調節可能に設けられていることを特徴としている。
【０００９】
また、前記塗装用ローラーは前記摺動操作部に幅方向へ位置調節可能に設けられていることを特徴としている。
【００１０】
さらに、本発明において、前記塗料トレイに塗料付着用ローラーを回転自在に設け、該塗料付着用ローラーを介して前記塗装用ローラーに塗料を付着させるようにすることが望ましい。
【発明の効果】
【００１１】
本発明に係る外壁材塗装装置によれば、塗装対象物である外壁材をガイドレールに対して、所定の角度を持って傾斜状に配置し得るので、塗装用ローラが転動する度に、コーナー外壁材の塗装面に対する当接部位を変動させることができ、ひいては、塗料を搬送面に斑無く均一に付着させることができる。しかも、ガイドレールに沿って摺動自在に設けられた摺動操作部を移動させるのみで、コーナー外壁材の塗装面に塗料を付着させることができるので、迅速な作業が可能となる。
【図面の簡単な説明】
【００１２】
【図１】塗装対象となるコーナー外壁材を縦置きした状態を示す斜視図。
【図２】塗装対象となるコーナー外壁材を横置きした状態を示す斜視図。
【図３】コーナー外壁材の製造過程を示す図。
【図４】外壁材塗装装置の斜視図。
【図５】外壁材塗装装置の正面図。
【図６】外壁材塗装装置の縦断面図。
【図７】外壁材塗装装置の使用状態を示す平面図。
【図８】外壁材塗装装置の使用状態を示す要部拡大図。
【図９】第２実施の形態の外壁材塗装装置の斜視図。
【図１０】外壁材塗装装置に使用する補助部材の斜視図。
【図１１】第２実施の形態の外壁材塗装装置の平面図。
【図１２】第２実施の形態の外壁材塗装装置の平面図。
【図１３】第２実施の形態の外壁材塗装装置の使用状態を示す要部断面図。
【図１４】第２実施の形態の外壁材塗装装置の使用状態を示す要部断面図。
【発明を実施するための最良の形態】
【００１３】
以下、本発明の実施の形態について、図面を参照しながら説明する。なお、本発明に係る外壁材塗装装置は、建築物の隅角部の外壁材として使用される断面形状略Ｌ形のコーナー外壁材を塗装する装置であるため、まず、塗装対象物であるコーナー外壁材についてあらかじめ説明しておく。図１はコーナー外壁材を縦置きした状態の斜視図、図２は２種類のコーナー外壁材を横置きした状態の斜視図、図３はコーナー外壁材の製造過程を示す概略図である。コーナー外壁材１は、建築物の隅角部を覆う外壁材であり、表面に凹凸状模様が形成され且つ着色された一対の外壁材２，３を直交状に結合することで断面形状略Ｌ形に形成されている。具体的には、図３（ａ）に示されているように、外壁材２，３の一側端を斜めに切断して傾斜面２ａ，３ａを形成しておき、次いで、図３（ｂ）に示されているように、傾斜面２ａ，３ａ同士を合致させて接着剤等により結合させた後、図３（ｃ）に示されているように、結合された外壁材２，３の隅角部を面取り加工することで平坦な隅角面４を形成する。なお、コーナー外壁材１の上縁部５と下縁部６には、複数のコーナー外壁材１を上下方向に連結し得るように段差が設けられている。また、コーナー外壁材１の側縁面２ｂ，３ｂは、図２の右側に位置するもののように幅方向に亘って平坦面になっているものと、図２の左側のもののように、外壁材２，３の表面の模様の凹凸が大きいため、内側の細幅の平坦面から外方がやや下傾する部分Ｘを有するものとがある。そして、このように形成されたコーナー外壁材１の隅角面４とコーナー外壁材１の両側の側縁面２ｂ，３ｂについては、未だ塗装されていない状態にあるので、これらの面が外壁材塗装装置の主たる塗装対象となる。
【００１４】
次に、本発明に係る外壁材塗装装置について説明する。外壁材塗装装置は、図４乃至図７に示されているように、コーナー外壁材１を横置し得る略水平な基台１０と、基台１０の前後方向に直線状であり、且つ基台１０の上面から上方へ所定間隔を離した位置に支持されているガイドレール１１と、ガイドレール１１に沿って摺動自在に設けられている摺動操作部１２と、摺動操作部１２に回転自在に装着された塗装用ローラー１３，１３と、塗装用ローラー１３，１３に塗着させる塗料を収容する塗料トレイ１４，１４と、コーナー外壁材１がガイドレール１１に対して傾斜状に横置されるようにする位置決め手段１５とによって概略構成されている。
【００１５】
前記基台１０は、コーナー外壁材１を横置し得る大きさの矩形状の平板からなり、その基端縁には前側起立壁１０ａが一体に形成され、その両側縁には側部起立壁１０ｂ，１０ｃが形成されている。そして、側部起立壁１０ｂ，１０ｃはいずれも、その略中央部を境にして、基台１０の基端縁側が高くなっているのに対し、先端縁側が低くなっている。なお、説明の便宜上、これ以降の説明においては、基台１０の基端側、すなわち、基台１０の前側起立壁１０ａ側を「前」、その反対側、すなわち、基台１０の先端側を「後」として説明する。前側起立壁１０ａには、その中央部に中央縦長穴２０が開設されていると共に、この中央縦長穴２０から少し間隔を離した左右両側のそれぞれに側部縦長穴２１，２２が開設されている。また、起立壁１０ａの内面であり中央縦長穴２０の近傍には、後方へ突出する中央縦長ガイド片２３が形成されていると共に、起立壁１０ａの内面であり側部縦長穴２１，２２のそれぞれの近傍に側部縦長ガイド片２４，２５が形成されている。さらに、基台１０の後側縁（先端縁）の幅方向中央に支持金具２６が固設されている。この支持金具２６は、水平片部２６ａと垂直片部２６ｂとからなる側面視Ｌ字形に形成されており、このうち、水平片部２６ａには、２つの螺子孔が穿設されており、垂直片部２６ｂには、縦長ガイド穴２７が開設されていると共に、垂直片部２６ｂの左右両側縁のそれぞれに前方へ突出する縦長ガイドリブ２６ｃ，２６ｃが形成されている。そして、支持金具２６の水平片部２６ａの螺子孔にビス２８を挿入して基台１０に螺着することで、支持金具２６が基台１０に螺着されている。
【００１６】
前記ガイドレール１１は、基台１０の幅方向中央部において前後方向に直線状に支持されていると共に、基台１０の上面から上方へ所定間隔離した位置に配置されている。このガイドレール１１は、基台１０の前端から後端に至る長さの細幅直線状に形成されている外レール３０と、両側部に複数のベアリングが設けられ外レール３０内に摺動可能に装着された内レール３１とによって構成されている。また、外レール３０の前後両端のそれぞれの下面に取付金具３３，３４が固着されている。これら取付金具３３，３４は、水平板部３３ａ，３４ａと垂直板部３３ｂ，３４ｂとからなる側面視Ｌ字形に形成されており、水平板部３３ａ，３４ａには、２つの螺子孔が穿設されていると共に、垂直板部３３ｂ，３４ｂには、１つの螺子孔が穿設されている。そして、前側の取付金具３３の水平板部３３ａが外レール３０の前側下面にビス３５により螺着され、後側の取付金具３４の水平板部３４ａが外レール３０の後側下面にビス３６により螺着されている。また、前側の取付金具３３の垂直板部３３ｂが基台１０の前側起立壁１０ａに取り付けられている。すなわち、垂直板部３３ｂが前側起立壁１０ａの内側から中央縦長穴２０に合致するように配置され、中央縦長穴２０に外側（前側）から摘まみ付きの締付螺子３７を貫挿して垂直板部３３ｂの螺子孔に螺着されている。なお、取付金具３３は、前側起立壁１０ａの中央縦長穴２０の範囲内で高さを調節することができる。また、前側起立壁１０ａに取り付けられた取付金具３３は、その垂直板部３３ｂの一側縁が基台１０の起立壁１０ａの中央縦長ガイド片２３に当接した状態になっている。これにより、取付金具３３の高さ調節をする際、中央縦長ガイド片２３が取付金具３３の垂直板部３３ｂの移動をガイドする役割を果たすことになる。他方、後側の取付金具３４の垂直板部３４ｂが基台１０の後端に固設されている支持金具２６の垂直片部２６ｂに取り付けられている。すなわち、垂直板部３４ｂが垂直片部２６ｂの内側から縦長ガイド穴２７に合致するように配置され、縦長ガイド穴２７の外側（後側）から摘まみ付きの締付螺子３８を貫挿して垂直板部３４ｂの螺子孔に螺着されている。なお、取付金具３４は、支持金具２６の垂直片部２６ｂ縦長ガイド穴２７の範囲内で高さを調節することができる。また、支持金具２６に取り付けられた取付金具３４は、その垂直板部３４ｂの両側縁が支持金具２６の縦長ガイドリブ２６ｃ，２６ｃの間に位置することになる。これにより、取付金具３４の高さ調節をする際、縦長ガイドリブ２６ｃ，２６ｃが取付金具３４の垂直板部３４ｂの移動をガイドする役割を果たすことになる。
【００１７】
前記摺動操作部１２は、ガイドレール１１に摺動自在に係合されており、図６に示されているように、ガイドレール１１に係合される係合部と、該係合部の上方に設けられている操作部とによって構成されている。このうち、係合部は、ガイドレール１１の内レール１３の内側に係合される略門形の摺動部材４０ａの上方に矩形板状の支持板４０ｂを固設して形成されている。他方、操作部は、係合部の支持部材４０ｂの上方に取着されている矩形状の中央板４１ａと、中央板４１ａの左右両側に延設されたローラー支持片４１ｂ，４１ｂとからなっており、ローラー支持片４１ｂ，４１ｂには、ローラー位置調整用長穴４３，４３が開設されている。また、左右両側のローラー位置調整用長穴４３，４３の内側端部のそれぞれに掛け渡されるように操作用把手４４が固着されている。なお、係合部の支持部材４０ｂと操作部の中央板４１ａのそれぞれの四隅角部の内側に４つの貫通孔が穿設されており、中央板４１ａの貫通孔に上方から頭付ボルト４５を挿入し、支持板４０ｂの下面側に突出した頭付ボルト４５の軸の端部にナットが螺着されて、中央板４１ａが支持板４０ｂに取着されている。また、支持板４０ｂと中央板４０ａの間に位置する頭付ボルト４５の軸には、コイルバネが外装されており、これにより、中央板４１ａは支持板４０ｂの上方に所定間隔を離して位置すると共に、中央板４１ａを支持板４０ｂ側に押し込むとコイルバネの弾性に抗して押し下げることが可能になっている。さらに、操作部の左右のローラー支持片４１ｂ，４１ｂには、塗装用ローラーとしての刷毛ローラー１３，１３が下向きコ字形の枠部材４８，４８を介して装着されている。すなわち、枠部材４８，４８に刷毛ローラー１３，１３が回転自在に軸支されていると共に、枠部材４８，４８の上面に穿設されている螺子孔にローラー支持片４１ｂ，４１ｂのローラー位置調整用長穴４３，４３の上方から挿入した摘まみ付き螺子４９，４９を螺着して、操作部の左右のローラー支持片４１ｂ，４１ｂに刷毛ローラー１３，１３が装着されている。そして、枠部材４８及び刷毛ローラー１３は、ローラー支持片４１ｂのローラー位置調整用長穴４３の範囲内で、その位置を適宜調節することができる。なお、刷毛ローラー１３は、円筒体の外周面に塗料を付着し且つ保持し得る微細な刷毛が固植されて形成されている。
【００１８】
前記塗料トレイ１４，１４は、基台１０の前側起立壁１０ａの左右両側にガイドレール１１を挟むように設けられている。この塗料トレイ１４は、塗料を収容する収容部１４ａと、収容部１４ａの前端縁に垂直状に形成された取付板１４ｂとによって形成されている。そして、塗料トレイ１４，１４の取付板１４ｂ，１４ｂが基台１０の前側起立壁１０ａに取り付けられている。すなわち、左右の取付板１４ｂ，１４ｂのそれぞれを前側起立壁１０ａの内側から側部縦長穴２１，２２に合致させ、側部縦長穴２１，２２のそれぞれに外側（前側）から摘まみ付きの締付螺子５０，５１を貫挿して取付板１４ｂ，１４ｂの螺子孔に螺着されている。なお、塗料トレイ１４，１４は、前側起立壁１０ａの側部縦長穴２１，２２の範囲内で高さを調節することができる。
【００１９】
前記位置決め手段１５は、所定の厚みを有する部材を基台１０の上面に固設してなり、基台１０の前よりに位置し、基台１０にコーナー外壁材１を載置した際、コーナー外壁材１の上縁部５を当接させる上縁当接部６０と、上縁当接部６０の後端から後方へ延出し、基台１０にコーナー外壁材１を載置した際、コーナー外壁材１の側縁を当接させる２つの側縁当接部６１，６２とからなっている。なお、２つの側縁当接部６１，６２のうち、一方は、上縁当接部６０の右端から後方、具体的には、基台１０の側部起立壁１０ｂに沿うように位置し、他方は、上縁当接部６０の略中央から後方、具体的には、ガイドレール１１の下方に位置している。そして、右側の側縁当接部６１と中央の側縁当接部６２の間、中央の側縁当接部６２と基台１０の側部起立壁１０ｃの間が、コーナー外壁材１の載置部となっている。また、側縁当接部６１，６２の載置部側の側面６１ａ，６２ａが、実際にコーナー外壁材１の側縁を当接させる部位となっており、平面視でガイドレール１１に対して角度αの傾斜状になるように形成されている。ちなみに、この実施の形態では、側縁当接部６１，６２の側面６１ａ，６２ａは、ガイドレール１１に対して約５度の角度に設定されている。他方、上縁当接部６０の後縁面６０ａ，６０ｂが、実際にコーナー外壁材１の上縁部５を当接させる部位となっており、側縁当接部６１，６２の側面６１ａ，６２ａと平面視で９０度の角度になるように形成されている。なお、上縁当接部６０の後縁面６０ａ，６０ｂは、基台１０の上方に位置する塗料トレイ１４の後縁よりも平面視でやや後側にくるように位置させている。
【００２０】
次に、上記のように構成された外壁材塗装装置の使用方法について説明する。ここでは、コーナー外壁材１の隅角面４及び側縁面２ｂ，２ｂを塗装する方法について説明する。まず、図７に示されているように、コーナー外壁材１を基台１０の左右の載置部のそれぞれに１つずつ載置するが、コーナー外壁材１，１の隅角面４を塗装する場合には、隅角面４が上向きになるようにコーナー外壁材１，１を載置する。そして、コーナー外壁材１の側縁を基台１０に固設された位置決め手段１５の側縁当接部６１，６２の側面６１ａ，６２ａに当接させると共に、コーナー外壁材１の上縁部５を上縁当接部６０の後縁面６０ａ，６０ｂのそれぞれに当接させる。この時、載置されたコーナー外壁材１は、その前端から後端にかけて右に傾斜した状態になる。他方、コーナー外壁材１の側縁面２ａを塗装する場合には、コーナー外壁材１の側縁面２ａが上向きになるようにコーナー外壁材１を載置する。そして、コーナー外壁材１の一方の外壁材２の側面を基台１０に固設された位置決め手段１５の側縁当接部６１，６２の側面６１ａ，６２ａに当接させると共に、コーナー外壁材１の上縁部５を上縁当接部６０の後縁面６０ａ，６０ｂに当接させる。この時、載置されたコーナー外壁材１は、その前端から後端にかけて右に傾斜した状態になる。コーナー外壁材１を載置したら、必要に応じて、ガイドレール１１、塗料トレイ１４，１４、及び刷毛ローラー１３，１３の位置を調節する。すなわち、基台１０の前側起立壁１０ａの締付螺子３７と、基台１０の後端の支持金具２６の締付螺子３８を緩めて、ガイドレール１１の取付金具３４の位置を上下させて適切な高さに合わせる。この時、ガイドレール１１に設けられた摺動操作部１２の刷毛ローラー１３，１３がコーナー外壁材１，１の塗装面のやや上方に位置するようにする。次いで、基台１０の前側起立壁１０ａの左右の締付螺子５０，５１を緩めて塗料トレイ１４，１４の取付板１４ｂ，１４ｂの位置を上下させて適切な高さに合わせる。この時、図６に示されているように、塗料トレイ１４，１４の収容部１４ａ，１４ａが摺動操作部１２の刷毛ローラー１３，１３のやや下方に位置するようにする。さらに、摺動操作部１２の両側に設けられた摘まみ付き螺子４９を緩めて、枠部材４８，４８を左右に移動させて、刷毛ローラー１３，１３の位置を決定する。この時、図８（ａ）に示されているように、刷毛ローラー１３，１３の左端部がコーナー外壁材１の塗装面の前縁に位置するようにする。次に、塗料トレイ１４，１４の収容部１４ａに塗料を流し入れる。そして、摺動操作部１２の操作用把手４４を掴んで摺動操作部１２を前方、すなわち、塗料トレイ１４，１４の収容部１４ａ，１４ａの真上に移動させた後、摺動操作部１２を下方へ軽く押し込んで刷毛ローラー１３，１３に塗料トレイ１４，１４の収容部１４ａ，１４ａの塗料を付着させる。この時、刷毛ローラー１３，１３を収容部１４ａ，１４ａ上で軽く回転させ、刷毛ローラー１３，１３に塗料を満遍なく付着させる。次いで、摺動操作部１２を後方へ移動させ、コーナー外壁材１の塗装面の前縁まできたら、摺動操作部１２を下方へ軽く押し込みながら後方へ移動させる。そうすると、図８（ａ）〜（ｃ）に示されているように、刷毛ローラー１３，１３がコーナー外壁材１の塗装面を転動し、該塗装面が塗装されることになる。この時、位置決め手段１５の側縁当接部６１，６２の側面６１ａ，６２ａによって、コーナー外壁材１は、摺動方向に傾斜、すなわち、ガイドレール１１に対して所定の角度をもって非平行に配置されることから、刷毛ローラー１３，１３が転動するたびにコーナー外壁材１の塗装面に対する当接部位を変えていくことになる。すなわち、刷毛ローラー１３，１３がコーナー外壁材１の塗装面に当接した部分は、塗料が塗装面に移って付着している塗料が少なくなるが、前述のとおり、刷毛ローラー１３，１３の当接部位が変化するため、常に均一に塗料を塗装面に塗着することができる。
【００２１】
図９乃至図１４は、前記実施形態と若干構成を異ならせた第２の実施形態に係る外壁材塗装装置である。この実施形態に係る外壁材塗装装置は、コーナー外壁材１を横置し得る略水平な基台７０と、基台７０の前後方向に直線状に支持されているガイドレール７１と、基台７０の上面から上方へ所定間隔を離した位置に前記ガイドレール７１に沿って摺動自在に設けられている摺動操作部７２と、摺動操作部７２に回転自在に装着された塗装用ローラー７３，７３と、塗装用ローラー７３，７３に塗着させる塗料を収容する塗料トレイ７４ａ，７４ｂと、塗料トレイ７４ａ，７４ｂに設けられた塗料付着用ローラー７５及び塗料付着量調整ローラー７６と、コーナー外壁材１がガイドレール７１に対して傾斜状に横置されるようにする位置決め手段７７，７８とによって概略構成されている。
【００２２】
前記基台７０は、コーナー外壁材１を横置し得る大きさの矩形状の平板からなり、その基端縁には前側起立壁７０ａが一体に形成され、その両側縁には側部起立壁７０ｂ，７０ｃが形成されている。また、基台７０の幅方向中央部には、基台７０の前後方向に直線状に延びるガイドレール７１が支持されている。このガイドレール７１は、図９及び図１４に示されているように、基台７０の上面に横長矩形状の平板からなる低位置用ガイド７１ａを起立状に固設し、さらに、この低位置用ガイド７１ａに横長矩形状の平板からなる高位置用ガイド７１ｂを着脱自在に設けて構成されている。具体的には、低位置用ガイド７１ａの上端部に複数の螺子孔が穿設されていると共に、高位置用ガイド７１ｂの下端部に複数の螺子挿通孔が穿設されており、低位置用ガイド７１ａの上端部と高位置用ガイド７１ｂの下端部を重合させて、これらに摘まみ付き締結螺子８２を螺着して、低位置用ガイド７１ａに対し高位置用ガイド７１ｂが着脱可能になっている。さらに、基台７０の前端寄りの左右両側のそれぞれに前後に並ぶように低位置用トレイ台８３ａと高位置用トレイ台８３ｂが固設されている。このうち、後側に位置する低位置用トレイ台８３ａは、その高さが低位置用ガイド７１ａのみの状態のガイドレール７１の高さよりもやや高くなっている。一方、前側に位置する高位置用トレイ台８３ｂは、その高さが低位置用ガイド７１ａに高位置用ガイド７１ｂを装着した状態のガイドレール７１の高さよりもやや高くなっている。なお、この塗料トレイ用台８３ａ，８３ｂの上面には、塗料トレイ７４ａ，７４ｂが装着されることになる。また、基台７０の上面であり塗料トレイ用台８３ｂの後方には、ガイドレール７１を挟むように位置決め手段７７，７８が設けられている。この位置決め手段７７，７８は、細幅の横長矩形状の平板を９０度折曲した部材からなり、基台１０の上面に平面視逆Ｌ字形になるように固設されている。そして、位置決め手段７７の一片７７ａが基台１０の側部起立壁７０ｂに、位置決め手段７８の一片７８ａがガイドレール７１に沿うように配置されおり、これらはガイドレール７１に対して所定角度の傾斜状になるように配置されている。なお、位置決め手段７７，７８の一片７７ａ，７８ａが、基台７０にコーナー外壁材１を載置した際、コーナー外壁材１の側縁を当接させる側縁当接部となっている。一方、位置決め手段７７，７８の他片７７ｂ，７８ｂが、基台７０にコーナー外壁材１を載置した際、コーナー外壁材１の上縁部５を当接させる上縁当接部となっている。
【００２３】
前記摺動操作部７２は、ガイドレール７１に摺動自在に遊嵌されており、ガイドレール７１に遊嵌される嵌合部８５と、該嵌合部８５の上方に設けられている操作部とによって構成されている。このうち、嵌合部８５は、図１４に示されているように、細幅の天板の両側端から側板を垂下状に設けて断面コ字形に形成されており、両側板間の内法は、ガイドレール７１の板厚よりやや広くなっていて、ガイドレール７１に遊嵌できるようになっている。他方、操作部は、嵌合部８５の上部に固着された円筒状の係合筒８７と、係合筒８７に取着される螺子溝付き軸棒８８と、係合筒８７の上面に螺着された操作用把手８９とからなっており、さらに、螺子溝付き軸棒８８の左右それぞれに塗装用ローラーとしての刷毛ローラー７３，７３が回転自在に軸支されている。また、これら左右の刷毛ローラー７３，７３の外方にローラー位置調整体９１，９１が装着されており、このローラー位置調整体９１，９１を回転させることで、刷毛ローラー７３，７３の位置を左右に調整できるようになっている。なお、螺子溝付き軸棒８８の両端部には、締付ノブ９３，９３が螺着されている。
【００２４】
前記塗料トレイ７４ａ，７４ｂは、基台７０に固設された低位置用トレイ台８３ａ及び高位置用トレイ台８３ｂに載置されている。この塗料トレイ７４ａ，７４ｂは、その前後方向の略中央部において段差をもって形成されている。すなわち、図１３に示されているように、前半部が後半部よりも一段低くなっている。そして、塗料トレイ７４ａ，７４ｂの前半部の両側壁のそれぞれに円弧状の切欠が１つずつ形成されており、後半部のそれぞれに円弧状の切欠が２つずつ形成されている。そして、前半部の左右の切欠には外周面にローレット加工が施された塗料付着用ローラー７５が回転自在に横架され、後半部の左右の切欠には塗料付着用ローラー７５よりも細径で外周面にローレット加工が施された塗料付着量調整ローラー７６，７６が２本ずつ回転自在に横架されている。
【００２５】
なお、図１０に記載されている部材は、コーナー外壁材１の側縁面を塗装する際に使用する幅調整部材９７と角度調整部材９８である。幅調整部材９７は、直方体形状の横長棒状に形成されており、角度調整部材９８は、横長矩形状の金属板を折曲し、底板９８ａと、底板９８ａから斜めに起立する載置板９８ｂとによって形成されている。なお、この実施形態において、底板９８ａと載置板９８ｂの傾斜角度は、約４０度に設定されている。また、底板９８ａと載置板９８ｂの角部となる側縁は、底板９８ａの逆側の側縁に対して平面視で所定角度の傾斜状になっている。
【００２６】
次に、第２の実施形態に係る外壁材塗装装置の使用方法について説明する。まず、コーナー外壁材１，１の隅角面４を塗装する場合から説明すると、この場合、ガイドレール７１は、高位置用ガイド７１ｂを装着しないで、低位置用ガイド７１ａのみにしておく。そして、基台７０の位置決め手段７７，７８の内側に隅角面４が上向きになるようにコーナー外壁材１，１を載置する。さらに、コーナー外壁材１の側縁を位置決め手段７７，７８の側縁当接部である一片７７ａ，７８ａに当接させると共に、コーナー外壁材１の上縁部５を上縁当接部である他片７７ｂ，７８ｂに当接させる。この時、載置されたコーナー外壁材１は、その前端から後端にかけて右に傾斜した状態になる。次いで、必要に応じて刷毛ローラー７３，７３の位置を調節する。すなわち、摺動操作部７２の螺子溝付き軸棒８８のローラー位置調節体９１，９１を回転させて、刷毛ローラー７３，７３を左右に移動させて位置を調整する。そして、塗料トレイ７４ａ，７４ｂの前半部に塗料を流し入れる。そして、摺動操作部７２の操作用把手８９を掴んで摺動操作部７２を前方へ移動させ、刷毛ローラー７３，７３が塗料トレイ７４ｂ、７４ｂの前半部の塗料付着用ローラー７５，７５上に位置するようにする。そして、図１３（ａ）に示されているように、刷毛ローラー７３，７３を塗料付着用ローラー７５，７５に当てた後、摺動操作部７２を軽く前後に移動させて刷毛ローラー７３，７３を塗料付着用ローラー７５，７５上で回転させる。そうすると、塗料が塗料付着用ローラー７５，７５に付着すると共に、該塗料付着用ローラー７５，７５を介して刷毛ローラー７３，７３に塗料が付着する。このように、塗料付着用ローラー７５，７５を介して刷毛ローラー７３，７３に塗料を付着させることで、刷毛ローラー７３，７３に塗料が付き過ぎてしまうことを防止できる。さらに、図１３（ｂ）に示されているように、必要に応じて、刷毛ローラー７３，７３を塗料トレイ７４ａ，７４ｂの後半部の塗料付着量調整ローラー７６，７６上で回転させる。これにより、刷毛ローラー７３，７３に余分に付着した塗料を均すことができる。後は、摺動操作部７２を後方へ移動させ、コーナー外壁材１の塗装面である隅角面４上を後方へ移動させながら塗装する。この時、摺動操作部７２の嵌合部８５がガイドレール７１を挟むように遊嵌されているので、自由に上下動させることができ、コーナー外壁材１の塗装面に対する押圧力は、手で摺動操作部７２を上下動させるのみで調節できる。
【００２７】
次に、コーナー外壁材１の側縁面２ａを塗装する場合について、図１２及び図１４を参照しつつ説明する。なお、ここでは図２の左側に位置するコーナー外壁材１を例として説明する。この場合、ガイドレール７１は、低位置用ガイド７１ａに高位置用ガイド７１ｂを装着しておく。そして、必要に応じて、図１０に示されている幅調整部材９７と角度調整部材９８を使用する。具体的には、幅調整棒９７を位置決め手段７７，７８の一片７７ａ，７８ａに沿うように配置する。次いで、角度調整部材９８を載置する。具体的には、右側の角度調整部材９８は、その底板９８ａの側縁がガイドレール７１の右側面に沿うように配置し、左側の角度調整部材９８は、その底板９８ａが基台７０の左側起立壁７０ｃの内側面に沿うように配置する。この時、角度調整部材９８の底板９８ａと載置板９８ｂの角部側の側縁は、位置決め手段７７，７８の一片７７ａ，７８ａと平行になっている。そして、コーナー外壁材１の一方の側縁面２ａが上向きになり、且つ、他方の側縁面３ｂを幅調整棒９７に当接させるようにして、コーナー外壁材１を基台７０上に載置する。このようにコーナー外壁材１を載置すると、図１４に示されているように、コーナー外壁材１の側縁面２ａの下傾部分Ｘ（図２参照）が刷毛ローラー７３，７３の周面に対して平行になって、当該部分をむら無く塗ることができる。すなわち、角度調整部材９８を使わないで、側縁面２ａに下傾部分Ｘがあるコーナー外壁材１を塗装しようとした場合、側縁面２ａの下傾部分Ｘに刷毛ローラー７３，７３が当たらず、当該部分を綺麗に塗ることができないが、角度調整部材９８を使うことで、当該部分が刷毛ローラー７３，７３の周面に当接し、綺麗に塗装することができる。この後は、前述したコーナー外壁材１の隅角面４を塗装する場合と同じ手順を行えばよい。
【００２８】
このように、前記第２の実施形態における外壁材塗装装置を使用しても、位置決め手段７７，７８の一片７７ａ，７８ａによって、コーナー外壁材１は、摺動方向に傾斜、すなわち、ガイドレール７１に対して所定の角度をもって非平行に配置されることから、刷毛ローラー７３，７３が転動するたびにコーナー外壁材１の塗装面に対する当接部位を変えていくことになり、ひいては、塗料を塗装面に斑無く均一に付着させることができる。
【符号の説明】
【００２９】
１      コーナー外壁材
１０    基台
１１    ガイドレール
１２    摺動操作部
１３    塗装用ローラー
１４    塗料トレイ
１５    位置決め手段
７０    基台
７１    ガイドレール
７２    摺動操作部
７３    刷毛ローラー
７４ａ  塗料トレイ
７４ｂ  塗料トレイ
７５    塗料付着用ローラー
７７    位置決め手段
７８    位置決め手段
【図１】
2020049415.tif 000003
【図２】
2020049415.tif 000004
【図３】
2020049415.tif 000005
【図４】
2020049415.tif 000006
【図５】
2020049415.tif 000007
【図６】
2020049415.tif 000008
【図７】
2020049415.tif 000009
【図８】
2020049415.tif 000010
【図９】
2020049415.tif 000011
【図１０】
2020049415.tif 000012
【図１１】
2020049415.tif 000013
【図１２】
2020049415.tif 000014
【図１３】
2020049415.tif 000015
【図１４】
2020049415.tif 000016